(57)【要約】【課題】作像装置と画像読取装置との間に記録材排出受けを設けた画像形成装置にあって、記録材排出受けに排出収容された記録材の視認性、特に、小サイズの記録材での視認性をも向上すると共に記録材排出受けからの記録材の取り出し性を向上させる。【解決手段】作像装置１と、上方に空間を介して配置された画像読取装置２と、作像装置１と画像読取装置２との間に記録材を排出収容する記録材排出受け３とを備え、作像装置１は、記録材の搬送方向に直交する幅寸法が記録材搬送経路の幅寸法より大きい装置筐体１ａを有し、この装置筐体１ａは、その上面の操作者操作側が上方に突出し且つ記録材排出受け３を区画する突出部４と、この突出部４の記録材排出受け３に向かう部位に開口され且つ記録材を記録材排出受け３に排出可能な記録材排出口５と、この記録材排出口５以外の部位にて突出部４の一部が切り欠かれた切欠部６とを有する。【選択図】図１
2008250213.tif 000002
【特許請求の範囲】
【請求項１】
記録材上に画像を形成可能な画像形成部が内蔵される作像装置と、
前記作像装置の上方に空間を介して配置され且つ原稿画像を読み取り可能な画像読取装置と、
前記作像装置と前記画像読取装置との間に設けられ且つ当該作像装置にて画像形成された記録材を排出収容する記録材排出受けとを備え、
前記作像装置は、記録材の搬送方向に直交する幅寸法が記録材搬送経路の幅寸法より大きい装置筐体を有し、
この装置筐体は、
その上面の操作者操作側が上方に突出し且つ前記記録材排出受けを区画する突出部と、
この突出部の前記記録材排出受けに向かう部位に開口され且つ記録材を前記記録材排出受けに排出可能な記録材排出口と、
この記録材排出口以外の部位にて前記突出部の一部が切り欠かれた切欠部とを有することを特徴とする画像形成装置。
【請求項２】
請求項１記載の画像形成装置において、
前記切欠部は、前記突出部のうち装置筐体の幅方向一側端側に設けられたことを特徴とする画像形成装置。
【請求項３】
請求項２記載の画像形成装置において、
前記装置筐体の上面のうち前記突出部と隣り合う側端縁部には、上方に突出し且つ前記画像読取装置を前記作像装置の上方に空間を介して支持する突出支持部を設けたことを特徴とする画像形成装置。
【請求項４】
請求項２記載の画像形成装置において、
前記切欠部に電源スイッチを設けたことを特徴とする画像形成装置。
【請求項５】
請求項２記載の画像形成装置において、
前記突出部の記録材排出口に対応した内部空間に排出ロールを配設し、少なくとも前記突出部の内部空間の切欠部側内壁に軸受けを設け、この軸受けにて排出ロールの軸端を回転可能に支持することを特徴とする画像形成装置。
【請求項６】
請求項１記載の画像形成装置において、
前記記録材排出受けは、前記記録材排出口から排出される記録材の排出方向上流端位置が前記突出部側に揃うように、前記記録材排出口側から記録材排出方向に沿って斜め上方に向かう傾斜部を備えることを特徴とする画像形成装置。
【請求項７】
請求項１記載の画像形成装置において、
前記画像読取装置は、少なくとも使用時には前記突出部との間に上方からの開口が設けられるように配置されることを特徴とする画像形成装置。
【発明の詳細な説明】
【技術分野】
【０００１】
本発明は、画像形成装置に関する。
【背景技術】
【０００２】
内部に設けられた画像形成部によって記録材上に画像を形成する作像装置と、この作像装置の上方に空間を介して原稿画像を読み取る画像読取装置とを設け、作像装置と画像読取装置との間に作像装置から排出された記録材を排出収容する記録材排出受けを設けた画像形成装置が各種提案されている。
【０００３】
そして、記録材排出受けへ記録材を排出するに際し、特に、記録材を操作者が操作する正面側から奥側に排出するようにした方式の画像形成装置にあって、記録材排出受けに排出収容された記録材の視認性や記録材排出受けからの記録材の取り出し性を改善しようとした提案がなされている（例えば特許文献１参照）。
【０００４】
【特許文献１】特開２００４−２７９６９１号公報（第１の実施形態、図１）
【発明の開示】
【発明が解決しようとする課題】
【０００５】
本発明の技術的課題は、作像装置と画像読取装置との間に記録材排出受けを設けた画像形成装置にあって、記録材排出受けに排出収容された記録材の視認性を向上させると共に記録材排出受けからの記録材の取り出し性を向上させることにある。
【課題を解決するための手段】
【０００６】
すなわち、本件請求項１に係る発明は、記録材上に画像を形成可能な画像形成部が内蔵される作像装置と、前記作像装置の上方に空間を介して配置され且つ原稿画像を読み取り可能な画像読取装置と、前記作像装置と前記画像読取装置との間に設けられ且つ当該作像装置にて画像形成された記録材を排出収容する記録材排出受けとを備え、前記作像装置は、記録材の搬送方向に直交する幅寸法が記録材搬送経路の幅寸法より大きい装置筐体を有し、この装置筐体は、その上面の操作者操作側が上方に突出し且つ前記記録材排出受けを区画する突出部と、この突出部の前記記録材排出受けに向かう部位に開口され且つ記録材を前記記録材排出受けに排出可能な記録材排出口と、この記録材排出口以外の部位にて前記突出部の一部が切り欠かれた切欠部とを有する画像形成装置である。
【０００７】
請求項２に係る発明は、請求項１に係る画像形成装置において、前記切欠部が、前記突出部のうち装置筐体の幅方向一側端側に設けられた画像形成装置である。
請求項３に係る発明は、請求項２に係る画像形成装置において、前記装置筐体の上面のうち前記突出部と隣り合う側端縁部には、上方に突出し且つ前記画像読取装置を前記作像装置の上方に空間を介して支持する突出支持部を設けた画像形成装置である。
請求項４に係る発明は、請求項２に係る画像形成装置において、前記切欠部に電源スイッチを設けた画像形成装置である。
請求項５に係る発明は、請求項２に係る画像形成装置において、前記突出部の記録材排出口に対応した内部空間に排出ロールを配設し、少なくとも前記突出部の内部空間の切欠部側内壁に軸受けを設け、この軸受けにて排出ロールの軸端を回転可能に支持するようにした画像形成装置である。
【０００８】
請求項６に係る発明は、請求項１に係る画像形成装置において、前記記録材排出受けは、前記記録材排出口から排出される記録材の排出方向上流端位置が前記突出部側に揃うように、前記記録材排出口側から記録材排出方向に沿って斜め上方に向かう傾斜部を備える画像形成装置である。
請求項７に係る発明は、請求項１に係る画像形成装置において、前記画像読取装置が、少なくとも使用時には前記突出部との間に上方からの開口が設けられるように配置されている画像形成装置である。
【発明の効果】
【０００９】
請求項１に係る発明によれば、切欠部を有しない場合に比して、記録材排出受けに排出収容された記録材の視認性及びそこからの記録材の取り出し性を向上する。
請求項２に係る発明によれば、本構成を有しない場合に比して、切欠部を大きくとることができ、視認性や取り出し性が一層向上するようになる。
請求項３に係る発明によれば、支持部を切欠部と異なる側端縁部に設けることで、記録材排出受けに排出収容された記録材への視認性を考慮しながら、記録材排出受けの大きさを損なうことがない。
請求項４に係る発明によれば、本構成を有しない場合に比して、電源スイッチを視認性のよい操作者操作側に設けることができ、装置の操作性が一層向上する。
請求項５に係る発明によれば、本構成を有しない場合に比して、切欠部側での回転軸を支持するスペースを削減することができ、より大きな切欠部を設けることが簡単になされるようになる。
請求項６に係る発明によれば、本構成を有しない場合に比して、記録材排出受けに排出される記録材の姿勢揃えが容易になされ、記録材が揃えられて収容されるようになる。
請求項７に係る発明によれば、記録材排出受けに排出収容された記録材の視認性を向上させることができる。
【発明を実施するための最良の形態】
【００１０】
先ず、本発明が適用される実施の形態モデルの概要について説明する。
◎実施の形態モデルの概要
図１は本発明を具現化する実施の形態モデルに係る画像形成装置の概要を示す。ここで、画像形成装置の代表的モデルの一つは、図１に示すように、記録材上に画像を形成可能な画像形成部が内蔵される作像装置１と、作像装置１の上方に空間を介して配置され且つ原稿画像を読み取り可能な画像読取装置２と、作像装置１と画像読取装置２との間に設けられ且つ当該作像装置１にて画像形成された記録材を排出収容する記録材排出受け３とを備え、作像装置１は、記録材の搬送方向に直交する幅寸法が記録材搬送経路の幅寸法より大きい装置筐体１ａを有し、この装置筐体１ａは、その上面の操作者操作側が上方に突出し且つ記録材排出受け３を区画する突出部４と、この突出部４の記録材排出受け３に向かう部位に開口され且つ記録材を記録材排出受け３に排出可能な記録材排出口５と、この記録材排出口５以外の部位にて突出部４の一部が切り欠かれた切欠部６とを有するようにしたものである。尚、図中符号７は、画像読取装置２を作像装置１より上方に持ち上げて支持する支持手段である。
【００１１】
ここで、記録材排出受け３としては、作像装置１の装置筐体１ａが兼用するようにしてもよいし、装置筐体１ａ上に他の部材を設けるようにしても差し支えない。また、突出部４は、装置筐体１ａと一体的に構成されていてもよいし、例えば別部材を装置筐体１ａに取り付けるようにしてもよい。
【００１２】
更に、本実施の形態モデルにおける切欠部６の設置箇所数は特に限定されないが、装置を小型化する観点からすれば、１箇所とすることが好ましい。このように１箇所とする場合、切欠部６を大きくする観点からすれば、突出部４の装置筐体１ａの幅方向一側端側に設けられることが好ましい。切欠部６の切り欠きの程度については特に限定されるものではないが、記録材排出受け３と突出部４とで区画される位置、すなわち、切欠部６によって形成される装置筐体１ａの外形ラインが記録材排出受け３に連なる位置まで切り欠かれれば十分である。また、切欠部６の突出部４側の端部は記録材排出口５を妨げず、記録材排出口５に近い位置まで切り欠かれることが好ましいが、これに限定されず、記録材排出受け３に排出収容された記録材の視認性が向上する程度であれば問題ない。
【００１３】
また、本実施の形態モデルでの支持手段７としては、作像装置１の装置筐体１ａから上方に突出する部材を設け、この部材にて画像読取装置２を持ち上げ支持するようにしてもよいし、作像装置１とは別体にして、例えばラック等の他の部材を用いて、この部材に画像読取装置２を載せるようにしても差し支えない。そして、上述のように、切欠部６が装置筐体１ａの幅方向一側端側に設けられる場合、支持手段７としては、装置筐体１ａの上面のうち突出部４と隣り合う側端縁部に、上方に突出する突出支持部を設けることが好ましい。尚、この突出支持部としては、装置筐体１ａを利用するものであってもよいし、装置筐体１ａとは別部材を装置筐体１ａに取り付けるようにしてもよい。
【００１４】
ここで、本実施の形態モデルにおける切欠部６の作用について説明する。図２（ａ）に示すように、記録材排出受け３へ排出収容される記録材は、その排出方向上流端位置が突出部４側に接触するようにして収容される。このとき、記録材が例えば小サイズの場合、記録材排出受け３を操作者が正面斜め上方から矢印Ａのような視点方向で見ると、記録材排出受け３に排出収容された記録材は突出部４で邪魔され見つけ難くなるものの、その視点を矢印Ｂのように横方向にずらすと、切欠部６によって突出部４が切り欠かれた分、記録材排出受け３の記録材排出口５に近い部分まで見えるようになる。また、この切欠部６があることで、装置筐体１ａの前方から手の出し入れが行えるようになる。
【００１５】
一方、図２（ｂ）に示す比較の形態のように、装置筐体１ａの幅方向全域に亘って切欠部６を備えていない場合には、装置を正面斜め上方から見た矢印Ａのような視点方向や矢印Ｂのような視点方向のいずれにおいても突出部４が記録材排出受け３の記録材に対する視覚の邪魔となり、記録材排出受け３上の記録材を見つけ難くなるばかりか、記録材排出受け３から記録材を取り出す際にも突出部４が邪魔になり、その取り出し性をも損なうようになる。
【００１６】
以下、添付図面に示す実施の形態に基づいてこの発明をより詳細に説明する。
◎実施の形態１
図３や図４の斜視図（図４は、図３と異なる角度からみた図である）に示すように、本実施の形態に係る画像形成装置は、内部に記録材上に画像を形成する画像形成部を備えた作像装置１０と、この作像装置１０の上方に空間を介して配置され且つ原稿画像を読み取り可能な画像読取装置４０とを設けたもので、更に、両者の間に記録材排出受け１２を形成し、この記録材排出受け１２に対し作像装置１０の操作者操作側（正面側）から奥側に向かって記録材を排出するようにしたものである。また、作像装置１０は、装置筐体１１内に画像形成部を備え、装置筐体１１上面に装置筐体を利用して記録材排出受け１２を設けたものである。そして、更に、装置筐体１１上面の正面側に沿って上方に突出する突出部３０を設け、この突出部３０の記録材排出受け１２側に作像装置１０から記録材排出受け１２に記録材を排出する記録材排出口（図示せず）を設けて、この記録材排出口以外の部位にて突出部３０の一部を切り欠いて切欠部３１としたものである。尚、図中符号１４は、画像形成部へ供給される記録材が収容される例えば引き出し式の記録材収容容器である。
【００１７】
作像装置１０の内部には、図５に示すように、装置筐体１１内の下方位置に、記録材を収容し、後述する画像形成部２０へ記録材を供給する記録材供給部１３を設け、この記録材供給部１３の上方に画像形成部２０が設けられている。画像形成部２０は、モノクロトナー像が形成保持される感光体２４が含まれる着脱体（以下プロセスカートリッジという）２１と、この帯電された感光体２４上に静電潜像を形成するようにプロセスカートリッジ２１の奥側から感光体２４表面を走査露光する例えばレーザー走査方式の露光器２２と、プロセスカートリッジ２１より記録材搬送方向下流側に設けられ、記録材上に作成されたトナー像を定着する定着器２９とを含んでいる。尚、本実施の形態の定着器２９は、例えば加熱ロールと加圧ロールによって十分な圧接域を形成し、記録材上に転写されたトナーに対し、十分な定着力が与えられるようになっている。
【００１８】
本実施の形態でのプロセスカートリッジ２１は、感光体２４表面を所定の電位に帯電する帯電ロール２５を内部に有する感光体カートリッジ２１ａと、感光体２４上の静電潜像を可視像化するためにトナーにて現像するトナーカートリッジ２１ｂとに分かれ、帯電ロール２５によって帯電された感光体２４に対しプロセスカートリッジ２１の背後に設けられた露光器２２によって、感光体カートリッジ２１ａとトナーカートリッジ２１ｂの隙間から感光体２４への書き込みがなされるようになっている。また、トナーカートリッジ２１ｂの内部には、静電潜像が形成された感光体２４を現像する現像ロール２６と、この現像ロール２６にトナーを供給するトナー供給ロール２７とが設けられている。
【００１９】
また、図中符号２８は、プロセスカートリッジ２１内の感光体２４に対向する位置に配設され、搬送された記録材上に感光体２４上のトナー像を転写する例えば転写ロールからなる転写器であり、上述の感光体２４と転写器２８との対向部位より下流側では、トナー像が形成された記録材が搬送されるようになる。
【００２０】
一方、記録材供給部１３は、所定サイズの記録材を供給するために記録材が収容される記録材収容容器１４と、この記録材収容容器１４の記録材搬送方向下流端近傍には、少なくとも記録材供給中には記録材収容容器１４内の最上面にある記録材に接触して当該記録材を下流側に搬送する供給ロール１５と、この供給ロール１５の下流側にて供給ロール１５から搬送された記録材に対し、捌き作用を行って１枚の記録材のみを搬送する捌きロール１６とで構成されている。また、この捌きロール１６の下流側には、捌かれて１枚になって搬送された記録材を一旦位置決めし、所定のタイミングで転写部位側へ搬送するレジストロール１７が設けられている。
【００２１】
そして、本実施の形態の作像装置１０の装置筐体１１の上面に設けられた記録材排出受け１２は、記録材排出方向に沿って斜め上方に傾斜する傾斜部を備えており、ここに排出されて収容される記録材の排出方向上流端位置が突出部３０の壁面によって規制されて揃うようになっている。また、記録材排出受け１２表面には複数の突起（図４参照：本例では３個）を設け、記録材排出受け１２に排出収容された記録材に対しここからの取り出しが容易になされるようになっている。
更に、記録材排出受け１２への記録材の排出収容は、作像装置１０の装置筐体１１上面より上方に突出した突出部３０に設けられた記録材排出口３０ａからなされるようになっており、本実施の形態では記録材を記録材排出口３０ａから排出するための排出ロール１８もこの突出部３０内に設けている。
【００２２】
本実施の形態における排出ロール１８は、図６に示すように、排出ロール１８の二本の回転軸（本例では駆動ロールと従動ロールにて構成されている）１８ａ，１８ｂの一端側が、いずれも突出部３０の壁から内側に向かって突出する軸受けとしての環状突起３２（３２ａ，３２ｂ）の中に嵌め込まれるようになっている。尚、回転軸１８ａ，１８ｂの他端側（図示せず）は、例えばフレーム等に位置決めされたベアリングに支持され、ギア等の駆動伝達系を介して回転できるようになっている。このように、回転軸１８ａ，１８ｂの一端側を突出部３０の環状突起３２で受けるようにすることで、この部位での例えばフレーム等の部材を省くことができ、そのため、回転軸１８ａ，１８ｂのこの一端側近くまで排出される記録材の側端位置を持ってくることができる。つまり、作像装置１０の装置筐体１１の幅寸法が同じであっても切欠部３１がより大きくなる。
【００２３】
本例では、軸受けとして環状突起３２に直接回転軸１８ａ，１８ｂを嵌め込む方式を示したが、特にこれに限定されるものではなく、例えば環状突起３２内に回転軸１８ａ，１８ｂを通したベアリングを圧入するようにしてもよいし、回転軸１８ａ，１８ｂに対し摩擦抵抗の小さい樹脂材料（例えばＰＯＭ）を環状突起３２の内側に設けるようにしても差し支えない。更には、壁自体に凹部を設けるようにしても差し支えない。
排出ロール１８の回転軸をこのような軸受けにて支持するようにしても、排出ロール１８によって記録材を排出する動作自体は排出ロール１８に対する負荷を著しく大きくするものではないことから、このような支持方式が十分適用できるようになる。
【００２４】
また、図３，４に示すように、本実施の形態の突出部３０には、その上面に作像装置１０及び画像読取装置４０を操作可能な操作パネル３３を備えており、この操作パネル３３が装置正面の突出部３０に設けられていることで、操作者による操作が一層し易くなる。
更に、本実施の形態では、装置筐体１１の突出部３０と隣り合う側縁部側に、画像読取装置４０を作像装置１０の上方に支持する突出支持部３４が設けられている。このように突出支持部３４を切欠部３１とは対向する側縁部側に設けることで、突出部３０の記録材排出口３０ａから排出される記録材が排出収容される記録材排出受け１２の大きさを徒に狭めることがなく、また、切欠部３１の有効性を十分作用させる。尚、本実施の形態では、突出支持部３４と突出部３０の間には、間隙を保つための張出部３５の上面が突出部３０の上面と略一致する高さで設けられている。また、突出支持部３４としては、装置筐体１１を利用するようにしてもよいし、装置筐体１１とは別であっても差し支えない。
【００２５】
一方、突出支持部３４によって支持された画像読取装置４０は、原稿をプラテンガラス上にセットして原稿画像を走査することで原稿画像の情報を読み取る画像読取装置本体４１と、この画像読取装置本体４１の上には画像読取装置本体４１のプラテンガラス上の原稿を抑えて保持するためのプラテンカバー４２が設けられている。特に、本実施の形態のプラテンカバー４２には、セットされた原稿を自動的に送り出す自動原稿送り装置４３が搭載されており、プラテンカバー４２の上面に自動原稿送り装置４３にて送られた原稿を収容する収容受け４２ａが設けられている。
更に、本実施の形態では、画像読取装置４０と作像装置１０に設けられた突出部３０との間には上方から見たときに開口があるように、画像読取装置４０が奥側に配置されているため、作像装置１０の記録材排出受け１２へ排出収容された記録材に対し、上方からの視認性が確保されるようになっている。尚、画像読取装置４０は、少なくとも使用時にこの位置になっていればよい。
【００２６】
次に、このような画像形成装置における作像装置１０での記録材の搬送系について、図５を中心に説明する。
記録材収容容器１４から供給ロール１５及び捌きロール１６によって下流側に供給された記録材は、レジストロール１７にて位置決め規制された後、転写部位に搬送される。転写部位では感光体２４上に形成されたトナー像が記録材上に転写され、このトナー像が転写された記録材が下流側の定着器２９に搬送される。そして、定着器２９にて記録材上のトナー像が定着された後、排出ロール１８から突出部３０に設けられた記録材排出口３０ａを通って記録材排出受け１２に排出収容されるようになる。このとき、作像装置１０の装置筐体１１は、記録材の搬送方向に直交する方向の幅寸法が記録材搬送経路の幅寸法より大きくなっていることから、切欠部３１に相当する領域に記録材が搬送されることがなく、切欠部３１によって記録材の搬送が阻害されることもない。
【００２７】
そして、このように記録材排出受け１２に排出された記録材は、突出部３０に記録材の上流端位置が規制されるように収容される。特に、記録材排出受け１２に排出収容される記録材が小サイズの場合には、突出部３０から記録材下流端位置（先端位置）までの距離が短く、画像形成装置正面側から記録材排出受け１２を見たときにこの突出部３０が邪魔をして記録材を視認し難くなる。しかしながら、本実施の形態では、切欠部３１を設けることで、装置正面より若干横方向にずらして見ることで、記録材排出受け１２の記録材排出口３０ａに近い部分まで見えるようになる。更に、記録材排出受け１２から記録材を取り出すに際しても、切欠部３１があることで、装置筐体１１の前方から手の出し入れが行えるようになる。
【００２８】
図７は、本実施の形態の変形例を示すものであり、切欠部３１に画像形成装置の電源スイッチ３６を設けたものとなっている。尚、電源スイッチ３６を切欠部３１に設ける場合、図のように水平面３１ａに設けることの他、図の垂直面３１ｂ側に設けるようにしてもよいことは云うまでもない。
【００２９】
◎実施の形態２
図８は、実施の形態２の画像形成装置を示す斜視図であり、本実施の形態は実施の形態１の画像形成装置と異なり、画像読取装置４０が作像装置１０と一体的に構成されておらず、別体で構成されたものとなっている。尚、実施の形態１と同様の構成要素には同様の符号を付し、ここではその詳細な説明は省略する。
【００３０】
本実施の形態は、画像読取装置４０を上方に支持する支持手段として、作像装置１０とは分離して構成されたラック５０を用いたものとなっている。本実施の形態のラック５０は、略Ｌ字状に曲がった脚部５１を両側方に備え、これらの脚部５１間に底板５２を張り渡し、脚部５１の底部には夫々２個のキャスタ５３が取り付けられたものとなっている。また、画像読取装置４０は、ラック５０の底板５２上に搭載されたものとなっており、このラック５０によって、画像読取装置４０が作像装置１０に対し適切な配置になるように移動できるようになっている。尚、このとき、画像読取装置４０と作像装置１０とは図示外の配線ケーブル等によって電気的な接続が保たれていることは云うまでもない。
【００３１】
本実施の形態では、実施の形態１のような突出支持部３４がなく、その分記録材排出受け１２を広く採ることができ、また、記録材排出受け１２に排出収容された記録材の取り出し方向も装置の左右両方から取り出せるようになる。更に、本実施の形態においても、記録材排出受け１２の記録材排出口３０ａに近い部分まで見えるようになる。また、装置筐体１１の前方からの手の出し入れが行えるようになる。
【００３２】
◎実施の形態３
図９は、実施の形態３の画像形成装置を示す斜視図であり、本実施の形態の画像形成装置は実施の形態１と異なり、支持手段として、画像読取装置４０を上方に支持すると共に画像読取装置４０が作像装置１０に対し後方に揺動できるような揺動機構６０を持ったものとなっている。尚、実施の形態１と同様の構成要素には同様の符号を付し、ここではその詳細な説明は省略する。
【００３３】
同図において、本実施の形態の揺動機構６０は、作像装置１０の装置筐体１１奥側の側端面に固定板６１を取り付ける一方、画像読取装置４０が搭載された底板６４には、その側端位置に揺動板６２を取り付け、固定板６１と揺動板６２とを回転軸６３によって位置決めし、揺動板６２がこの回転軸６３によって後方に揺動できるようになっている。
【００３４】
そのため、画像読取装置４０を適宜後方に揺動できるようになり、このように画像読取装置４０を揺動させたときには、画像読取装置４０と作像装置１０との間で装置正面側に大きな開口領域を設けることができ、記録材排出受け１２に排出収容された記録材の視認性や取り出し性を一層向上させることができるようになる。更に、切欠部３１を備えているので、画像読取装置４０を揺動させなくても、記録材排出受け１２に排出収容された記録材への視認性や取り出し性が良好であることは云うまでもない。
【００３５】
◎実施の形態４
図１０は、実施の形態４の画像形成装置を示す斜視図であり、本実施の形態の画像形成装置は、実施の形態１にて突出部３０に設けられた操作パネル３３を画像読取装置４０側に備えるようにした点が実施の形態１と異なるものとなっている。尚、実施の形態１と同様の構成要素には同様の符号を付し、ここではその詳細な説明は省略する。
【００３６】
同図において、本実施の形態の操作パネル３３は、画像読取装置本体４１の正面側にて手前に突出する方向に出張った形状のものとなっている。そのため、記録材排出受け１２に排出収容された記録材に対する装置斜め上方からの視認性が低下するようになるが、本実施の形態では切欠部３１を有することで正面斜め横方向から記録材排出受け１２に排出収容された記録材を視認し易くなる。また、記録材排出受け１２からの記録材の取り出し性も良好になる。更に、操作パネル３３を画像読取装置本体４１の高さに設けることで、操作パネル３３自体の操作性も良好に保つことができる。
【００３７】
以上説明したような実施の形態では、作像装置１０の画像形成部２０としてモノクロ画像を形成する方式を示したが、これに限定されるものではなく、例えば画像形成部２０としてカラー画像を形成するようにしても差し支えない。また、記録材収容容器１４として１段のものを示したが、記録材収容容器の数量は特に限定されず、幾つ持っていてもよい。更に、切欠部３１を大きく採るために、排出ロール１８の回転軸の支持構造を工夫するようにしたが、これに限定されるものではなく、切欠部３１を備えるようになっていればよく、この場合、突出部３０内に定着器２９の全部若しくは一部を設けるようにしても差し支えない。
そして、画像形成方式としては上述した電子写真方式に限定されるものではなく、例えば静電記録方式や、インクジェット方式を採用するようにしても差し支えない。
【図面の簡単な説明】
【００３８】
【図１】本発明に係る画像形成装置の概要を示す説明図である。
【図２】（ａ）は実施の形態モデルに係る切欠部の作用を示す説明図であり、（ｂ）は切欠部のない比較のモデルを示す。
【図３】実施の形態１の画像形成装置を示す斜視図である。
【図４】実施の形態１の画像形成装置を図３と異なる位置から見た斜視図である。
【図５】実施の形態１の記録材作成部の構成を示す説明図である。
【図６】実施の形態１の突出部に設けられた排出ロールの支持構造を示す説明図である。
【図７】実施の形態１の変形例を示す説明図である。
【図８】実施の形態２の画像形成装置を示す斜視図である。
【図９】実施の形態３の画像形成装置を示す斜視図である。
【図１０】実施の形態４の画像形成装置を示す斜視図である。
【符号の説明】
【００３９】
１…作像装置，１ａ…装置筐体，２…画像読取装置，３…記録材排出受け，４…突出部，５…記録材排出口，６…切欠部，７…支持手段
【図１】
2008250213.tif 000003
【図２】
2008250213.tif 000004
【図３】
2008250213.tif 000005
【図４】
2008250213.tif 000006
【図５】
2008250213.tif 000007
【図６】
2008250213.tif 000008
【図７】
2008250213.tif 000009
【図８】
2008250213.tif 000010
【図９】
2008250213.tif 000011
【図１０】
2008250213.tif 000012